【手続補正書】
【提出日】平成21年5月21日(2009.5.21)
【手続補正１】
【補正対象書類名】特許請求の範囲
【補正対象項目名】全文
【補正方法】変更
【補正の内容】
【特許請求の範囲】
【請求項１】
端子を収容し、相手コネクタが挿抜される絶縁ハウジング、
前記絶縁ハウジングに回転自在に取り付けられ、相手コネクタと前記絶縁ハウジングとの装着が開始される装着開始位置から引込みが完了する引込完了位置まで回転することによって前記相手コネクタに該絶縁ハウジングを引き込ませるレバー、および、
前記絶縁ハウジングから突出した支持部と、前記相手コネクタの挿抜方向に延び、該支持部の弾性変形によって、該支持部を中心として傾動自在に支持された傾動部と、該傾動部の相手コネクタの側の端に設けられ、該支持部の弾性変形が解放された該傾動部の中立状態で、前記相手コネクタを係止するコネクタ係止部と、該傾動部の該係止部とは反対側の端に設けられ、前記レバーに押されることによって、該傾動部を該中立状態から該コネクタ係止部と前記相手コネクタとの干渉が回避される回避状態に傾動させる被押当部とを有するロック部を備え、
前記被押当部は、前記装着開始位置と前記引込完了位置との間に位置する引込領域で前記レバーに押されて前記傾動部を前記回避状態まで傾動させる位置、かつ、前記引込完了位置で前記レバーに乗り越えられて前記レバーから解放される位置に設けられたものであることを特徴とするレバー式コネクタ。
【請求項２】
前記ロック部は、前記被押当部に隣接して前記傾動部に形成され、該レバーが該引込完了位置から前記装着開始位置とは反対側の装着確認位置にさらに回転した状態、かつ、前記コネクタ係止部が前記相手コネクタを係止することによって、該傾動部が前記中立状態に傾動した状態で前記レバーを係止するレバー係止部をさらに有するものであることを特徴とする請求項１記載のレバー式コネクタ。
【請求項３】
前記レバーは、該レバーが前記装着確認位置に回転した状態で、該レバーの回転軸に向かう方向に押されることによって、前記被押当部を押して前記コネクタ係止部に前記相手コネクタとの係止を解除させると同時に、前記レバー係止部に係止爪との係止を解除させる押込操作部をさらに備えたものであることを特徴とする請求項２記載のレバー式コネクタ。
【請求項４】
端子を収容し、相手コネクタが挿抜される絶縁ハウジング、
前記絶縁ハウジングに回転自在に取り付けられ、相手コネクタと前記絶縁ハウジングとの装着が開始される装着開始位置から引込みが完了する引込完了位置まで回転することによって前記相手コネクタに該絶縁ハウジングを引き込ませるレバー、および、
前記絶縁ハウジングから突出した支持部と、前記相手コネクタの挿抜方向に延び、該支持部の弾性変形によって、該支持部を中心として傾動自在に支持された傾動部と、該傾動部の相手コネクタの側の端に設けられ、該支持部の弾性変形が解放された該傾動部の中立状態で、前記相手コネクタを係止するコネクタ係止部と、該傾動部の該コネクタ係止部とは反対側の端に設けられ、前記レバーに押されることによって、該傾動部を該中立状態から該コネクタ係止部と前記相手コネクタとの干渉が回避される回避状態に傾動させる被押当部とを有するロック部を備えたレバー式コネクタに相手コネクタを装着する装着方法であって、
前記レバーを前記装着開始位置と前記引込完了位置との間に位置する引込領域まで回転することによって、前記レバーに相手コネクタへ絶縁ハウジングを引き込ませるともに、前記レバーに前記傾動部の被押当部を押させることによって、該傾動部を、該コネクタ係止部と前記相手コネクタとの干渉が回避させる回避状態まで傾動させ、
前記レバーを前記引込完了位置まで回転することによって、前記レバーに前記被押当部を乗り越えさせて前記被押当部を前記レバーから解放させることを特徴とするレバー式コネクタの装着方法。
【手続補正２】
【補正対象書類名】明細書
【補正対象項目名】０００９
【補正方法】変更
【補正の内容】
【０００９】
レバーが引込完了位置まで回転し、コネクタ係止部が相手コネクタを係止することによってレバー係止部がレバーを係止する。一方、何らかの障害によって、引き込みが不十分となり、コネクタ係止部が相手コネクタを係止しない場合には、レバー係止部がレバーを係止しない。したがって、レバーがレバー係止部に係止したことを確認することによって、相手コネクタとコネクタ係止部との係止状態を確実に確認できる。
【手続補正３】
【補正対象書類名】明細書
【補正対象項目名】００１０
【補正方法】変更
【補正の内容】
【００１０】
また、上記本発明のレバー式コネクタにおいて、上記レバーは、このレバーが上記装着確認位置に回転した状態で、このレバーの回転軸に向かう方向に押されることによって、上記被押当部を押して上記コネクタ係止部に上記相手コネクタとの係止を解除させると同時に、上記レバー係止部に係止爪との係止を解除させる押込操作部をさらに備えたものであることが好ましい。
【手続補正４】
【補正対象書類名】明細書
【補正対象項目名】００１７
【補正方法】変更
【補正の内容】
【００１７】
絶縁ハウジング１１は、樹脂材料からなる成型品であり、雌コンタクト１１０（図３参照）を収容するハウジング本体部１１１と、雌型コネクタ２との嵌合状態で雌型コネクタ２を囲む外郭フード部１１２とを有している。図２に示すように、ハウジング本体部１１１は、２つのハウジングブロック１１１ａ，１１１ｂを有している。ハウジング本体部１１１には、複数のコンタクト収容孔１１１ｈが形成されている。コンタクト収容孔１１１ｈには、電気的接続を担う雌コンタクト１１０（図７参照）が収容される。外郭フード部１１２には、外向きに１対の回転軸部１１３が突出して設けられている。
【手続補正５】
【補正対象書類名】明細書
【補正対象項目名】００３０
【補正方法】変更
【補正の内容】
【００３０】
傾動部１３１の雌型コネクタ２に向く端すなわち下端の後向きＢの面には、コネクタ係止部１３３が後向きＢにかぎ状に突出して形成されている。コネクタ係止部１３３は、雄型コネクタ１に雌型コネクタ２が嵌合した状態で、雌型コネクタ２の雌コネクタ側係止部２３１と互いに係合する。また、支持部１３２の、コネクタ係止部１３３とは反対側の上端側の前向きＦの面には、左右方向Ｌ，Ｒでの中央部分に被押当部１３４が形成されている。被押当部１３４は、円柱側面状であり、緩やかな曲面を有して前向きＦに突出している。また、被押当部１３４の左右方向Ｌ，Ｒでの両側には、この被押当部１３４に連なってレバー係止部１３５が形成されている。レバー係止部１３５は、前向きＦにかぎ状に突出しており、レバー１２（図１参照）を係止する。
【手続補正６】
【補正対象書類名】明細書
【補正対象項目名】００６５
【補正方法】変更
【補正の内容】
【００６５】
押込操作部１４２は、後ろ向きＢに押されると、ロックアーム１３の被押当部１３４を後ろ向きＢに押し、ロックアーム１３を傾動させる。これにより、雌コネクタ側係止部２３１とコネクタ係止部１３３の係合が解除される。また、被押当部１３４の両側に形成されたレバー係止部１３５（図１３参照）も後ろ向きＢに移動するため、レバー係止部１３５とレバー側係止部（係止爪）１５との係合も同時に解除される。したがって、レバー１２が矢印Ｃ方向に回転する。レバー１２が矢印Ｃ方向に回転すると、レバー１２に設けられたカムピン１２１（図８参照）が、今度は、雄型コネクタ１に上向きＵの力を加える。レバー１２の回転に伴って、雄型コネクタ１は上向きＵに移動し、レバー１２が装着開始位置Ｐ１まで回転すると、雌型コネクタ２から離れる。